(57)【要約】【課題】ハーフカット／フルカット切換式のシートのカッティング装置において、ハーフカットにおける刃の切込み深さの微調整を可能にする簡素な構成を提供する。【解決手段】シート１００をカットするカット刃３５を備えたカッティング装置において、前記カット刃３５の刃先に対向して配置される受け部材３７と、この受け部材に前記シート１００を挟んで配置される押さえ部材３６と、を備え、前記受け部材３７と前記押さえ部材３６との間で挟持されたシート１００を前記カット刃３５でカットするように構成する。前記シート１００に対する前記カット刃３５の刃先の相対位置の変更は、前記カット刃３５に対する前記押さえ部材３６の、シート厚み方向（Ｂ方向）における位置の変更によって行われる。【選択図】　　　　図８
2004114167.tif 000002
【特許請求の範囲】
【請求項１】
シートをカットするカット刃を備えたカッティング装置において、
前記カット刃の刃先に対向して配置される受け部材と、
この受け部材に前記シートを挟んで配置される押さえ部材と、を備え、
前記受け部材と前記押さえ部材との間で挟持されたシートを前記カット刃でカットするように構成するとともに、
前記シートに対する前記カット刃の刃先の相対位置の変更が、前記カット刃に対する前記押さえ部材の、シート厚み方向における位置の変更によって行われることを特徴とする、
カッティング装置。
【請求項２】
請求項１に記載のカッティング装置において、
前記受け部材は、前記押さえ部材に近接する方向に付勢されていることを特徴とする、カッティング装置。
【請求項３】
請求項１または請求項２に記載のカッティング装置において、
前記受け部材の前記カット刃に対向する面に、前記カット刃のシート幅方向に沿設された中空部を設けたことを特徴とする、カッティング装置。
【請求項４】
請求項１から請求項３までのいずれか一項に記載のカッティング装置において、
前記押さえ部材の位置の変更は、ステッピングモータの駆動により行われることを特徴とする、カッティング装置。
【請求項５】
請求項１から請求項４までのいずれか一項に記載のカッティング装置において、
前記シートは、粘着シートと剥離紙とが貼り合わされたものであり、
また、前記押さえ部材は、
前記シートを厚み方向全体にわたって切断するフルカットを行うための第一の位置と、
前記粘着シートを切断し、且つ前記剥離紙を切断しないように前記カット刃でカットするハーフカットを行うための第二の位置と
に、配置可能であるように構成していることを特徴とする、カッティング装置。
【請求項６】
請求項１から請求項５までのいずれか一項に記載のカッティング装置において、
前記カット刃の状況に応じて、前記シートに対する前記カット刃の刃先の相対位置を変更できるように構成したことを特徴とする、カッティング装置。
【請求項７】
請求項１から請求項６までの何れか一項に記載のカッティング装置において、
前記シートの種類を検出できるセンサを備え、
検出されたシートの種類に応じて、当該シートに対する前記カット刃の刃先の相対位置を変更できるように構成したことを特徴とする、カッティング装置。
【発明の詳細な説明】
【０００１】
【発明の属する技術分野】
本発明は、シートをカット刃でカットするカッティング装置の技術に関する。
【０００２】
【従来の技術】
従来から、一つのカット刃で、被切断物たるシートを完全に分離切断するフルカットと、当該シートに切り目を入れるのみのいわゆるハーフカットを実現できるカッティング装置が公知となっている。
例えば、特許文献１に開示されるチョッパ切断装置がある。この装置は、横長刃（カット刃）と刃受け台を有しており、該刃受け台は、高さの異なる２つの受け部を有している。そして、フルカット時には高い方の受け部が横長刃の下側に位置するように、ハーフカット時には低い方の受け部が横長刃の下側に位置するように、刃受け台を水平に移動制御するよう構成し、この結果、フルカットとハーフカットの切換を可能としている。
【０００３】
【特許文献１】
特公平２−４９８８０号公報（第（３）頁左列第５〜１０行目、第３図）
【０００４】
【発明が解決しようとする課題】
しかし、前記従来の技術では、受け部の高さそのものを変更させることができないので、例えば長年の使用により横長刃が磨耗した際には、ハーフカット時の切り目の深さが浅くなってしまい、これを解消するには横長刃を交換する必要があった。この結果、メンテナンスの必要が頻繁に発生することとなり、メンテナンスコストの増大やその間カッティング装置を使用できないロスが増大していたのである。
【０００５】
【課題を解決するための手段】
本発明の解決しようとする課題は以上の如くであり、次にこの課題を解決するための手段を説明する。
【０００６】
即ち、請求項１においては、シートをカットするカット刃を備えたカッティング装置において、前記カット刃の刃先に対向して配置される受け部材と、この受け部材に前記シートを挟んで配置される押さえ部材と、を備え、前記受け部材と前記押さえ部材との間で挟持されたシートを前記カット刃でカットするように構成するとともに、前記シートに対する前記カット刃の刃先の相対位置の変更が、前記カット刃に対する前記押さえ部材の、シート厚み方向における位置の変更によって行われるものである。
【０００７】
請求項２においては、前記受け部材は、前記押さえ部材に近接する方向に付勢されているものである。
【０００８】
請求項３においては、前記受け部材の前記カット刃に対向する面に、前記カット刃のシート幅方向に沿設された中空部を設けたものである。
【０００９】
請求項４においては、前記押さえ部材の位置の変更は、ステッピングモータの駆動により行われるものである。
【００１０】
請求項５においては、前記シートは、粘着シートと剥離紙とが貼り合わされたものであり、また、前記押さえ部材は、前記シートを厚み方向全体にわたって切断するフルカットを行うための第一の位置と、前記粘着シートを切断し、且つ前記剥離紙を切断しないように前記カット刃でカットするハーフカットを行うための第二の位置とに、配置可能であるように構成しているものである。
【００１１】
請求項６においては、カット刃の状況に応じて、前記シートに対する前記カット刃の刃先の相対位置を変更できるように構成したものである。
【００１２】
請求項７においては、前記シートの種類を検出できるセンサを備え、検出されたシートの種類に応じて、当該シートに対する前記カット刃の刃先の相対位置を変更できるように構成したものである。
【００１３】
【発明の実施の形態】
〔全体構成〕
まず、本発明を適用した一実施形態に係るテープ印字装置の概略を説明する。図１は本発明の一実施形態に係るテープ印字装置の全体的な構成を示した斜視図、図２は蓋部を開いた状態のテープ印字装置の全体平面図、図３は同じく全体側面図である。
【００１４】
図１に示すテープ印字装置１は、ＣＰＵやＲＡＭ等により構成される図示しない制御本体部を内部に備えた、筐体２を有する。筐体２の上面手前側には、電源キーや文字列入力キー等の各種操作キー群３を備える。また、筐体２には、入力した文字列等を表示する液晶ディスプレイ４が設けられている。
【００１５】
筐体２の奥側上面には蓋部５が設けられ、回動開閉自在とされている。図２や図３には蓋部５を開いた状態が示され、図２に示すように、蓋部５の内部には、カートリッジ装着部６やテープ駆動印刷機構７、テープ切断機構（カッティング装置）８、テープ排出機構１１が構成されている。
この蓋部５内部に形成されるカートリッジ装着部６には、ラベルテープを収納したテープカートリッジ１０を装着可能としてある。
【００１６】
この構成で、カートリッジ装着部６にテープカートリッジ１０を装着し、前記キー群３のうち適宜のキー（印刷キー）を押すと、前記テープ駆動印刷機構７が駆動されて、テープカートリッジ１０内のラベルテープが引き出される。そして、このラベルテープに、前述のキー群３で入力された文字列等が、テープ駆動印刷機構７によって印字される。印字後のラベルテープは、テープ切断機構８で切断された後に、テープ排出機構１１によって、前記筐体２の一側側面に形成される排出口９（図２・図３）から排出される構成になっている。
【００１７】
〔カートリッジ装着部の周辺の構成〕
次に、前記カートリッジ装着部６の周辺の構成について、図４以降を参照して詳細に説明する。
図４はカートリッジ装着部の構成を示す斜視図、図５は同じく平面図、図６はカートリッジ装着部にテープカートリッジを装着した状態を示す斜視図である。図７はテープカートリッジ内部でテープが繰り出される様子を示す平面図である。
【００１８】
図４及び図５には、前記筐体２から取り外された状態のカートリッジ装着部６が示される。なお、図４・図５には、前記テープカートリッジ１０が取り外された状態が図示されている。
【００１９】
カートリッジ装着部６は金属平板からなるフレーム２１を備え、この下面に、カートリッジ駆動モータ２２が付設されている（図５等）。カートリッジ駆動モータ２２のモータ軸２３はフレーム２１上面側に突出され、このモータ軸２３と、前記フレーム２１に回転自在に支持される巻取駆動軸２４およびローラ駆動軸２５が、減速ギア列２６を介して連動連結される。
なお、図４・図５には図示されていないが、前記カートリッジ装着部６を筐体２に取り付けた際は、前記減速ギア列２６の上側を覆う平板状のカバープレート３４が図２に示すように設置され、当該減速ギア列２６を塵や埃から保護する構成になっている。
【００２０】
この構成で、前記テープカートリッジ１０を図６のようにカートリッジ装着部６に装着したときは、当該カートリッジ１０のハウジング８０内部に回転自在に支持されるリボン巻取スプール８３（後述）に前記巻取駆動軸２４が、同様にカートリッジ１０の内部で回転自在に支持される接合ローラ８４（後述）に前記ローラ駆動軸２５が、それぞれ係合する。
従って、この状態で前記カートリッジ駆動モータ２２を回転駆動することで、テープカートリッジ１０のリボン巻取スプール８３及び接合ローラ８４を駆動することができ、これがカートリッジ１０内のテープ走行のための駆動力として用いられる。
【００２１】
前記フレーム２１には、軸２７まわりに揺動可能となるように、アーム２８が取り付けられる。アーム２８の遊端側には、ともにゴム等の弾性部材を表面に配したプラテンローラ２９及び送りローラ３０が並べて設けられ、それぞれ回転自在とされている。
また、前記フレーム２１にはプレート３１が突設され、該プレート３１のプラテンローラ２９側の面には、サーマルヘッド３２が配置される。このサーマルヘッド３２は、テープ（具体的には、後述するラミネートテープ９１）の搬送方向に垂直な方向に少なくとも一列以上配列された、複数の発熱素子を有している。前記アーム２８には図示しない付勢バネが取り付けられており、この付勢バネは、前記プラテンローラ２９が前記プレート３１に圧接し、かつ、前記送りローラ３０がテープカートリッジ１０の接合ローラ８４に圧接する付勢力を、常時加えている。
【００２２】
ここで本実施形態のテープ印字装置１は、テープカートリッジ１０を交換することにより、様々な太さ・種類のラベルテープに印字可能とされている。
そしてこのテープカートリッジ１０の種類を自動判別するために、フレーム２１の上面の適宜位置には、図２や図４等に示すように、垂直に突出する押しボタンスイッチを「Ｌ」字状に五連で並べた構成のカートリッジ種類検出センサ７０が設けられる。テープカートリッジ１０側においては図７に示すように、このセンサ７０の押しボタンスイッチの位置に対応する位置（ハウジング８０の下面隅位置）に、カートリッジ種類表示孔７１が形成される。このカートリッジ種類表示孔７１は、前記押しボタンスイッチに相当する五箇所における孔の有無のパターンによって、当該テープカートリッジ１０のラベルテープの幅・厚み・種類等を表現するよう構成している。従って、テープカートリッジ１０をカートリッジ装着部６に取り付けた際は、カートリッジ種類検出センサ７０の検出結果に基づいて、ラベルテープの種類をテープ印字装置１側で自動判別することができる。
【００２３】
なお、本実施形態でテープ印字装置１に取り付けられるテープカートリッジ１０は、ラミネート熱転写タイプのラベルテープを形成できるテープカートリッジとされている。これを以下説明する。
【００２４】
このテープカートリッジ１０は図７に示すように、合成樹脂製の箱状のハウジング８０の内部に、ラミネートスプール８１と、リボン供給スプール８２と、リボン巻取スプール８３と、接合ローラ８４と、基材供給スプール８５と、がそれぞれ回転自在に軸支された構成となっている。
【００２５】
ラミネートスプール８１の外周には、ＰＥＴ（ポリエチレンテレフタレート）フィルム等の透明なラミネートテープ９１が、小巻状に巻回される。また、リボン供給スプール８２の外周には、インクリボン９２が小巻状に巻回される。
また、基材供給スプール８５の外周には、二重テープ９３が巻回される。この二重テープ９３は、両面に接着剤層を有する両面接着テープ９３ａと、その片面に貼り合わされる剥離テープ９３ｂと、の二重構造をなしており、剥離テープ９３ｂが貼られている側の面を外側に、前記粘着層が露出される側の面を内側に向けながら、前記基材供給スプール８５の外周に巻回されている。
【００２６】
また前述のとおり、ハウジング８０内には接合ローラ８４が回転自在に支持される。この接合ローラ８４は、本体側の送りローラ３０との圧接によって、基材供給スプール８５からの二重テープ９３と、ラミネートスプール８１からのラミネートテープ９１を接合するように構成している。
加えて、ハウジング８０内にはリボン巻取スプール８３が回転自在に支持され、このリボン巻取スプール８３が、前述のリボン供給スプール８２から供給されて使用済みとなったインクリボン９２を巻き取るように構成している。
【００２７】
前記リボン巻取スプール８３及び前記接合ローラ８４には、装置側のカートリッジ駆動モータ２２の動力が伝達されて回転駆動される。この結果、ラミネートスプール８１からのラミネートテープ９１とリボン供給スプール８２からのインクリボン９２が互いに重ねられて、前記サーマルヘッド３２へ送られる。そして、プラテンローラ２９でサーマルヘッド３２側へ圧接されながら、該サーマルヘッド３２の発熱素子が選択的に加熱することによって、インクリボン９２上のインクがラミネートテープ９１に転写され、前記キー群３で入力された文字列や記号などの所望の画像が当該ラミネートテープ９１上に形成されることになる。
【００２８】
サーマルヘッド３２を通過した後は、ラミネートテープ９１と使用済みのインクリボン９２は、二手に分かれて走行する。ラミネートテープ９１は送りローラ３０に向けて送られ、それと同時に、前述の基材供給スプール８５から引き出された二重テープ９３が、その粘着層露出側（即ち、前記剥離テープ９３ｂが貼り合わされていない側）を外側に向けながら、接合ローラ８４に送られる。この結果、送りローラ３０と接合ローラ８４との圧接によって、ラミネートテープ９１と二重テープ９３とが互いに接合され貼着される。
【００２９】
この結果、文字や記号などが記録されたラミネートテープ９１が二重テープ９３上に設けられた形の、三層構造のラベルテープ１００が形成され、このラベルテープ１００が、接合ローラ８４の回転によって前述の排出口９に向けて繰り出される。記録および排出が完了した後のラベルテープ１００は、この排出口９近傍に設けられたテープ切断機構８で切断されるとともに、同じく排出口９近傍に設けられたテープ排出機構１１で排出される。これらテープ切断機構８およびテープ排出機構１１の詳細な構成は後述する。
テープ排出機構１１により排出口９から排出されたラベルテープ１００は、前記剥離テープ９３ｂを剥離することで粘着層を露出させることができ、任意の場所に貼設できる貼着ラベルとして用いることができる。
【００３０】
〔テープ切断機構の構成〕
次に、前記テープ切断機構８の構成を説明する。
図８はテープ切断機構の全体構成を示す斜視図、図９はカートリッジ装着部を下面側から見た斜視図である。
図１０はテープ切断機構において押さえ部材でラベルテープをフルカット位置／ハーフカット位置に移動させる様子を示した断面図である。
【００３１】
このテープ切断機構８は、その切断機構フレーム３３上に、ラベルテープ１００を切断するカット刃３５や、該カット刃３５でラベルテープ１００を切断する際に当該ラベルテープ１００を挟持する押さえ部材３６・受け部材３７等を、一体的に組み付けて構成してある。
この切断機構フレーム３３は、カートリッジ装着部６のフレーム２１にネジ止めして固定できるようになっている。逆に言えば、この切断機構フレーム３３は、切断機構フレーム３３上の各機構同士が一体的に組みつけられている状態を保持したまま、前記ネジを取り外してカートリッジ装着部６のフレーム２１から取り外し、図８の如くの状態でカット刃３５の交換等の作業が可能となっている。この結果、メンテナンス性の向上が図られている。
【００３２】
図８にテープ切断機構が示されるが、この図８は、サーマルヘッド３２側（テープ走行方向上流側）が紙面手前に、排出口９側（下流側）が紙面奥側に、それぞれ向いた状態の斜視図である。
この図８を参照しながらテープ切断機構８の構成を説明すると、ラベルテープ１００の走行経路の一側において、前記切断機構フレーム３３にガイド軸３８が垂直方向に支架されるとともに、当該ガイド軸３８に平行させて、ネジ軸３９が回転自在に軸支される。
【００３３】
前記ガイド軸３８にはカッターキャリッジ４４が、ガイド軸３８の長手方向（ラベルテープ１００の幅方向であって、図８に矢印Ａで示す方向）に沿って、往復動摺動自在となるよう支持されており、このカッターキャリッジ４４のラベルテープ１００側を向く端部にカット刃３５が固定される。このカッターキャリッジ４４は前記ネジ軸３９に螺合しており、ネジ軸３９が回転することで前記矢印Ａ方向に往復動される構成となっている。
図９には、切断機構フレーム３３を取り付けた状態のカートリッジ装着部６が、上下逆さに向けた斜視図として示されている。この図に示すように、前記ネジ軸３９を駆動するカット刃駆動モータ４０は、カートリッジ装着部６のフレーム２１下面に付設される。カット刃駆動モータ４０のモータ軸は、ウォームギア４１及び減速歯車４２・４３を介して、前述のネジ軸３９に連結されている。
この構成でカット刃駆動モータ４０を正逆駆動することで、カッターキャリッジ４４を前記矢印Ａ方向に往復駆動でき、ラベルテープ１００を横切るようにカット刃３５を走行させて当該ラベルテープ１００を切断することができる。
【００３４】
なお、図８等に示すように、前記カッターキャリッジ４４には位置検出リブ４９が一体的に突設されるとともに、該カッターキャリッジ４４の移動方向の両端側（即ち、カット刃３５がラベルテープ１００と干渉しない、ラベルテープ１００の幅方向で脇の位置）には、リブ検出センサ５０・５０がそれぞれ設けられる。従って、カッターキャリッジ４４が移動範囲の端部にある（端部にまで移動した）ことを、このリブ検出センサ５０が位置検出リブ４９を検出することで判定することができ、これが前記カット刃駆動モータ４０の駆動制御に用いられる。
【００３５】
そして、前記ガイド軸３８，ネジ軸３９，及びカッターキャリッジ４４を囲むように、平面視「コ」字状の押さえ部材３６が切断機構フレーム３３に設けられる。
この押さえ部材３６は、そのラベルテープ１００側（後述の受け部材３７側）を向く「コ」字状両端面を平坦に形成して、ここに二つの押さえ面３６ａ・３６ｂを形成している。この押さえ面３６ａ・３６ｂは、ラベルテープ１００の幅方向（図８の矢印Ａ方向）に細長く沿設されており、当該方向に沿う長手方向を有して設けられている。
また、この押さえ部材３６は、適宜の摺動ガイド機構を介して前記切断機構フレーム３３に設けられており、前記ラベルテープ１００の厚み方向（図に矢印Ｂで示す方向）に、その位置を変更可能とされている。
【００３６】
この押さえ部材３６の位置変更のための構成が、フレーム２１を下側から見た図である図９に示される。この図に示すように、押さえ部材駆動モータ４５がフレーム２１上面に付設されるとともに、そのモータ軸が当該フレーム２１下面に突出され、当該突出部分にギア４６が設けられている。このギア４６は減速ギア列４７を介して、フレーム２１下面に枢支された「く」字状の第一アーム５１の一端に連結される。該第一アーム５１の他端には、前記切断機構フレーム３３の側部に中央部を枢支された直線状の第二アーム５２の一端が連結され、この第二アーム５２の他端が前記押さえ部材３６に連結される。
この構成で、前記押さえ部材駆動モータ４５を正逆回転駆動することで、押さえ部材３６を前記矢印Ｂ方向に往復移動させることができる。
【００３７】
一方、図８等に示すように、ラベルテープ１００の走行経路を挟んで押さえ部材３６の反対側には、受け部材３７が配置されている。受け部材３７の上下端部には突起５３が突出され、この突起５３が、切断機構フレーム３３に適宜形成されたガイド溝５４に、摺動自在に嵌入される。この結果、押さえ部材３６は、当該ガイド溝５４の長手方向（ラベルテープ１００の厚み方向であって、図８に矢印Ｂで示す方向）に移動可能となるよう、切断機構フレーム３３に支持される。受け部材３７には、前記押さえ部材３６の「コ」字状両端面（二つの押さえ面３６ａ・３６ｂ）にそれぞれ対向する、二つの平坦な受け面３７ａ・３７ｂが形成されている。更には、二つの受け面３７ａ・３７ｂの間の位置には、溝（中空部）３７ｃが設けられている。
前記受け面３７ａ・３７ｂ，前記溝３７ｃは、いずれも、ラベルテープの幅方向（図８における矢印Ａ方向）に沿設され、当該矢印Ａ方向に沿う長手方向を有するように構成されている。
【００３８】
受け部材３７と前記切断機構フレーム３３との間には付勢バネ４８が弾設されて、受け部材３７を押さえ部材３６側に近接させる方向の付勢力を常時加えている。
【００３９】
この構成で、前述のカット刃３５によってラベルテープ１００を切断する前の段階で、前記押さえ部材駆動モータ４５を回転駆動して押さえ部材３６を受け部材３７側へ移動させ、その押さえ面３６ａ・３６ｂと受け部材３７の受け面３７ａ・３７ｂとの間でラベルテープ１００を挟むようにする。すると、受け部材３７は前記付勢バネ４８による付勢力によって押さえ部材３６側に押圧されるので、ラベルテープ１００は受け部材３７と押さえ部材３６とで動かないように固定された状態とされ、当該状態とした上で前記カット刃３５を図８の矢印Ａ方向に走行させることで、ラベルテープ１００を切断することができる。
【００４０】
次に、カット刃３５のカット態様の切換機構を説明する。
即ち、本実施形態のテープ切断機構８は、ラベルテープ１００をその厚み方向途中まで部分的にカットするハーフカットと、ラベルテープ１００をその厚み方向全体に渡って切断するフルカットと、の二つの態様でラベルテープ１００をカットできるように構成している。
以下、これを図１０を参照して説明する。
【００４１】
図１０（ａ）には、前記サーマルヘッド３２により印字しながら前述の接合ローラ８４にてラベルテープ１００を走行させて繰り出す場合の、図８におけるＸ−Ｘ断面矢視図が示される。
サーマルヘッド３２による印字が行われている状態では、前記押さえ部材３６は、ラベルテープ１００の走行経路から離れる方向（受け部材３７から離れる方向）に十分退避するように、前記押さえ部材駆動モータ４５によって移動される。前記受け部材３７は付勢バネ４８によって押さえ部材３６側に付勢されているが、受け部材３７の突起５３（図８）がガイド溝５４の端部に当接すると、受け部材３７は押さえ部材３６側へそれ以上移動できない。この結果、図１０（ａ）に示すように、押さえ部材３６の押さえ面３６ａ・３６ｂと受け部材３７の受け面３７ａ・３７ｂとは互いに離間し、両部材３６・３７の間に隙間が形成される。
前記サーマルヘッド３２による印字がされつつ前記接合ローラ８４によって繰り出されるラベルテープ１００は、当該隙間を通過して走行する。なお、カッターキャリッジ４４はテープ走行経路の脇の位置に退避しているので、カッターキャリッジ４４やカット刃３５がラベルテープ１００の走行の邪魔となることはない。
【００４２】
サーマルヘッド３２による印字が終了した後は、前記カートリッジ駆動モータ２２が停止されて接合ローラ８４による繰出しが停止されるとともに、前記押さえ部材駆動モータ４５が駆動され、押さえ部材３６が受け部材３７に近接する方向に、適宜移動する。この結果、図１０（ｂ）あるいは（ｃ）に示すように、ラベルテープ１００は押さえ部材３６と受け部材３７の間に挟まれ、動かないように固定される。
【００４３】
なお、このラベルテープ１００の挟持固定の際に、押さえ部材３６の位置を前記押さえ部材駆動モータ４５で変更することにより、前述のフルカットとハーフカットの切換ができるように構成している。
【００４４】
即ち、フルカットを行う場合は図１０（ｂ）のように、カット刃３５がラベルテープ１００の厚み方向全体をカットできる位置となるように、押さえ部材３６を位置させる。具体的には、前記押さえ部材３６の押さえ面３６ａ・３６ｂから前記カット刃３５の先端が突出するその突出量が、前記ラベルテープ１００の厚み全体よりも大きくなり、カット刃３５の先端が受け部材３７の溝３７ｃ内に位置することとなるような位置に、押さえ部材３６を位置させるのである。
この図１０（ｂ）の状態でカット刃駆動モータ４０を駆動してカッターキャリッジ４４を移動させ、カット刃３５をラベルテープ１００を横切るように走行させると、ラベルテープ１００は、ラミネートテープ９１、二重テープ９３の両面接着テープ９３ａ・剥離テープ９３ｂを含んだ、ラベルテープ１００の厚み方向全体（三層全体）にわたって切り離され、切断されることになる（フルカット）。
【００４５】
一方、ハーフカットを行う場合は図１０（ｃ）のように、カット刃３５がラベルテープ１００の厚み方向途中までをカットできる位置となるように、押さえ部材３６を位置させる。具体的には、前記押さえ部材３６の押さえ面３６ａ・３６ｂから前記カット刃３５の先端が突出するその突出量が、（前記ラミネートテープ９１の厚さ）＋（前記二重テープ９３の両面接着テープ９３ａの厚さ）となるようにし、残りの剥離テープ９３ｂにはカット刃３５が到達しないこととなるような位置に、押さえ部材３６を位置させるのである。ただし、剥離テープ９３ｂにカット刃３５を僅かに食い込ませる位置としても構わない。
この図１０（ｃ）の状態でカット刃３５をラベルテープ１００を横切るように走行させることで、ラベルテープ１００に対し、そのラミネートテープ９１と両面接着テープ９３ａの部分にのみ（即ち、ラベルテープ１００の三層構造のうち貼着ラベルとして用いられる二層の部分にのみ）、前記カット刃３５による切込みを入れることができる（ハーフカット）。
【００４６】
ここで、押さえ部材３６の位置を図１０（ｂ）の位置とするか（ｃ）の位置とするかは、前記押さえ部材駆動モータ４５の駆動量（回転量）により制御することができる。本実施形態では押さえ部材駆動モータ４５はステッピングモータにより構成しており、その駆動量は、押さえ部材駆動モータ４５に供給するパルスの数によって容易に制御することができる。この制御構成についての詳細は後述する。
【００４７】
〔テープ排出機構〕
次に、テープ排出機構１１の構成を、図４を主に参照しながら説明する。
【００４８】
図４に示すように、このテープ排出機構１１はカートリッジ装着部６のフレーム２１上に構成されている。具体的には、前記テープ切断機構８のすぐ下流側においてフレーム２１にテープガイド１４が設置されるとともに、ラベルテープ１００の走行経路の一側において、ローラ軸６１がテープガイド１４に回転自在に支持される。該ローラ軸６１には排出ローラ６２が固定され、このローラ６２の周面がラベルテープ１００に接触し得るように構成している。
図４に示すように、フレーム２１の下面には排出部駆動モータ６３が付設され、そのモータ軸６４がフレーム２１の上面に突出される。前述のローラ軸６１はこのモータ軸６４に対し、減速ギア列６５を介して連動連結されている。
【００４９】
また、ラベルテープ１００の走行経路を挟んで前記排出ローラ６２の反対側においては、前記フレーム２１に、押さえアーム６６が支持される。押さえアーム６６は「Ｌ」字状に形成されてその先端を前記排出ローラ６２側に向けており、当該先端にはコロ６７を遊転自在に支持する構成となっている。
【００５０】
前記押さえアーム６６は、前述のテープ切断機構８において押さえ部材３６を移動させるための前記第二アーム５２に連結されている。従って、押さえ部材駆動モータ４５を駆動して押さえ部材３６と受け部材３７との間でラベルテープ１００を挟持したときには、押さえアーム６６も排出ローラ６２側に移動し、その先端のコロ６７と排出ローラ６２との間でラベルテープ１００を挟持できるようになっている。
【００５１】
上記構成で、前記テープ切断機構８のカット刃３５でラベルテープ１００の切断（前述のフルカット）を行った後、前記排出部駆動モータ６３を駆動すると、排出ローラ６２は、その外周面と前記コロ６７との間でラベルテープ１００を挟んだ状態で、図４における時計回り方向に回転する。この結果、切断後のラベルテープ１００は排出ローラ６２により送り出されて、排出口９から図中左下方へ排出される。
【００５２】
〔制御構成〕
次に、本実施形態における制御構成を説明する。
図１１はテープ印字装置のブロック図である。図１２はテープ印字装置の制御フローのメインフロー図、図１３はフルカット処理のサブルーチンのフロー図、図１４はハーフカット処理のサブルーチンのフロー図である。
【００５３】
図１１には本実施形態のテープ印字装置１の制御ブロック図が示され、このテープ印字装置１は、中央処理装置（ＣＰＵ）１０１と、一時的なデータを保持しておくためのＲＡＭ１０２と、半固定的なデータを保持しておくための不揮発性メモリ（ＮＶ−ＲＡＭ）１０３と、制御プログラム等の固定的データを格納するＲＯＭ１０４とが、バス１０５で相互に接続される構成となっている。また、当該バス１０５には、前記操作キー群３からのキー入力を受け付けて処理するキー入力処理部１０６や、液晶ディスプレイ４の表示を制御するＬＣＤ制御部１０７や、前述したサーマルヘッド３２や各種のモータ等を制御する印刷・切断機構制御部１０８が接続される。
【００５４】
印刷・切断機構制御部１０８は、印字部であるサーマルヘッド３２の発熱素子に印加する電流を制御するための、サーマルヘッド制御回路１１０を備える。更には、前記カートリッジ駆動モータ２２や、押さえ部材駆動モータ４５や、カット刃駆動モータ４０や、排出部駆動モータ６３などの各種モータ群の駆動／停止を制御するための、各種制御回路を備える（１１１〜１１４）。
また、印刷・切断機構制御部１０８はセンサ入力回路１１５を備え、カートリッジ種類検出センサ７０や、前記リブ検出センサ５０・５０からの電気的な信号を受け取って処理するように構成してある。
【００５５】
上記制御構成におけるメインフローが図１２に示され、このメインフローのループにおいては、ＣＰＵ１０１は先ずステップＳ１０１で、文字列編集キー群３ａのうちいずれかが押されたか否かを判定し、キーが押された場合は文字列編集処理のサブルーチンを実行する（Ｓ１０２）。
このサブルーチン処理の詳細は省略するが、押されたキーに応じて、前記ＲＡＭ１０２に記憶されている文字列に文字を追加したり削除して当該ＲＡＭ１０２の記憶内容を更新し、更に液晶ディスプレイ４の表示を更新する処理を行っている。
【００５６】
次に、ステップＳ１０３で印刷キー３ｂが押されたか否かを判定し、印刷キー３ｂが押された場合は、印刷処理のサブルーチンを実行する（Ｓ１０４）。
このサブルーチン処理の詳細も省略するが、この処理においては、カートリッジ駆動モータ２２を駆動するとともに、前述の文字列編集処理において記憶されたＲＡＭ１０２の内容（入力文字列データ）を読み出して、当該入力文字列データに基づいて画像データを展開してＲＡＭ１０２に一時記憶する。そして、この画像データに基づき、所定のタイミングでサーマルヘッド３２の発熱素子に選択的に電流を流して、対応する画像を前記ラミネートテープ９１上に形成する。そして更にカートリッジ駆動モータ２２の駆動を継続し、接合ローラ８４でラミネートテープ９１と前記二重テープ９３とを接合させてラベルテープ１００を形成し、最終的には当該ラベルテープ１００の画像形成部分が前記カット刃３５より下流側に位置した時点で、カートリッジ駆動モータ２２の駆動を停止する。
【００５７】
更にステップＳ１０５において「フルカット」キー３Ｆが押されたか否かを判定し、「フルカット」キー３Ｆが押された場合は、フルカット処理のサブルーチンを実行する（Ｓ１０６）。
また、ステップＳ１０７において「ハーフカット」キー３Ｈが押されたか否かを判定し、「ハーフカット」キー３Ｈが押された場合は、ハーフカット処理のサブルーチンを実行する（Ｓ１０８）。
以下、フルカット処理及びハーフカット処理のサブルーチンを説明する。
【００５８】
〔フルカット処理のサブルーチン〕
フルカット処理のサブルーチンのフローは図１３に示され、このフローにおいては先ず、前記押さえ部材３６を前述の図１０（ａ）の退避位置から図１０（ｂ）の位置に移動させるためのパルス数を、ＮＶ−ＲＡＭ１０３の適宜の記憶領域１０３Ｘから読み出す（Ｓ２０１）。
即ち、本実施形態では、押さえ部材３６が十分退避した図１０（ａ）に示す位置を押さえ部材３６の基準位置と定めて、この基準位置から押さえ部材３６を図１０（ｂ）の位置に移動させるために必要な、押さえ部材駆動モータ４５に対するパルス数を、予め算出してＮＶ−ＲＡＭの前記記憶領域１０３Ｘに記憶させてある。
従って、読み出したパルス数だけのパルスを次のステップＳ２０２で押さえ部材駆動モータ４５に送ることで、押さえ部材３６を図１０（ｂ）の位置に移動させることができる。
なお、この押さえ部材３６の移動と同時に前記コロ６７も排出ローラ６２側に移動するので、ラベルテープ１００は、押さえ部材３６と受け部材３７との間で挟持されるとともに、コロ６７と排出ローラ６２との間でも挟持される。
【００５９】
次にステップＳ２０３において、この図１０（ｂ）に示す状態でカット刃駆動モータ４０を駆動して、カッターキャリッジ４４をその一端から他端に向けて走行させる。この結果、図１０（ｂ）のラベルテープ１００をその厚み方向全体にわたって切断することができる（フルカット）。
【００６０】
ステップＳ２０３で切断され切り離されたラベルテープ１００は、前記コロ６７及び前記排出ローラ６２との間で挟持された状態を維持している。
そして次にステップＳ２０４で、ＣＰＵ１０１は排出部駆動モータ６３を駆動し、前述の排出ローラ６２を回転させ、ラベルテープ１００を排出口９から排出する。
【００６１】
テープ排出後は、ステップＳ２０５で押さえ部材駆動モータ４５を駆動し、押さえ部材３６を、元の図１０（ａ）の退避位置に移動させて戻す。
前記ステップ２０１でＮＶ−ＲＡＭ１０３から読み出したパルス数だけ前記押さえ部材駆動モータ４５を逆回転させることで、押さえ部材３６を図１０（ａ）の退避位置に正確に戻すことができる。ただし、退避位置を検出する特別なセンサを設けて、前記押さえ部材３６が退避位置に移動したことをそのセンサが検出するまで押さえ部材駆動モータ４５を駆動する構成としても構わない。
この結果、押さえ部材３６と受け部材３７との間に隙間が形成される。また、これと同時に前記コロ６７も排出ローラ６２から離間するので、再びラベルテープ１００を印字して繰出可能な状態になる。以上で、フルカット処理のサブルーチンが終了する。
【００６２】
〔ハーフカット処理のサブルーチン〕
次に、ハーフカット処理のサブルーチンを説明する。
ハーフカット処理のサブルーチンのフローが図１４に示され、この処理では先ず、前記押さえ部材３６を前述の図１０（ａ）の退避位置から図１０（ｃ）の位置に移動させるためのパルス数を、ＮＶ−ＲＡＭ１０３の適宜の記憶領域１０３Ｘから読み出す（Ｓ３０１）。
即ち、本実施形態では前述のフルカット処理の制御の場合と同様に、押さえ部材３６が退避している基準位置から当該押さえ部材３６を図１０（ｃ）の位置に移動させるために必要な、押さえ部材駆動モータ４５に対するパルス数を、予め算出して、ＮＶ−ＲＡＭ１０３の適宜の記憶領域１０３Ｙに記憶させてある。従って、この記憶領域１０３Ｙから読み出したパルス数だけのパルスを次のステップＳ３０２で押さえ部材駆動モータ４５に送ることで、押さえ部材３６を図１０（ｃ）の位置に移動させることができる。
【００６３】
後はフルカット処理の場合と同様に、カット刃駆動モータ４０を駆動する。カット刃３５は図１０（ｃ）の状態で走行し、ラベルテープ１００にハーフカットが前述のとおり施される。
なお、ハーフカット処理においては前述のとおり、切断されるのはラミネートテープ９１及び二重テープ９３の両面接着テープ９３ａであり、剥離テープ９３ｂは切断されない（即ち、ラベルテープ１００は完全には切り離されない）。従って、ラベルテープ１００を排出することができないので、ハーフカット処理サブルーチンの制御においては、フルカット処理のステップＳ２０４に示すような排出部駆動モータ６３の駆動（排出ローラ６２の回転）は行われない。
最後に、押さえ部材３６を図１０（ｃ）のハーフカット位置から（ａ）の退避位置に戻して（ステップＳ３０４）、サブルーチンを抜ける。以上で、ハーフカット処理のサブルーチンが終了する。
【００６４】
なお、本実施形態のテープ印字装置は、テープカートリッジ１０を交換することで様々な種類のラベルテープ１００に印字することを可能としている。その中には、本実施の形態で説明したラベルテープ１００の（ラミネートテープ９１の厚み）＋（二重テープ９３の両面接着テープ９３ａの厚み）よりも、貼着ラベルとして用いられる部分（剥離テープ以外の部分）が厚かったり薄かったりする場合もある。
この場合、フルカットの場合はラベルテープの考え得る最大厚みよりも大きくなるようにカット刃３５のラベルテープに対する突入深さを定めておけば問題ないが、ハーフカットの場合が問題になる。即ち、テープ印字装置１でハーフカットを行う場合には、貼着ラベルとして使用される部分（剥離テープ９３ｂ以外の部分）はカット刃３５によって完全に切断されることが要求されるが、ラベルテープ１００の種類が種々異なるということは、その貼着ラベルとして使用される部分の厚みも様々に異なり得ることを意味するからである。
【００６５】
この点を解決するためには、本実施形態のテープ印字装置１の前記ＮＶ−ＲＡＭ１０３に、前述のハーフカット処理サブルーチンのステップＳ３０２で押さえ部材駆動モータ４５に送るべきパルス数を、テープカートリッジ１０の種類に対応付けて、１対１でテーブル形式で予め保存させておけば良い。
そして、ハーフカット処理を行う際には前記ステップＳ３０１で、現在装着されているテープカートリッジの種類を前述のカートリッジ種類検出センサ７０の検出結果として得てＮＶ−ＲＡＭ１０３前記テーブルに当てはめ、当該テープカートリッジに入っているラベルテープをハーフカットするには次のステップＳ３０２で幾つのパルスを送るべきかを、決定するのである。このようにすれば、テープカートリッジ１０を交換して内部のラベルテープの厚みが種々異なった場合でも、ハーフカットを適切に行うことができる。
【００６６】
〔カット刃の突出量の調整方法〕
以上に基本的な制御構成を説明したが、上述のようなテープ切断機構８はその長期間の使用に従い、カット刃３５で多数のラベルテープ１００を切断することによって、その刃先が徐々に損耗して丸くなってしまうことが避けられない。
この点、本実施形態のテープ切断機構８は、図１０（ａ）の退避位置から図１０（ｂ）のフルカット位置あるいは（ｃ）のハーフカット位置への移動を、押さえ部材駆動モータ４５に対してパルスを与えることで行っている。従って、このパルス数をユーザ側で変更できるようにすることで、前述のカット刃３５の刃先がある程度損耗しても、フルカットあるいはハーフカットを適切に行うことができるようになっている。
【００６７】
具体的には、前記テープ印字装置１は、図１２で示されるフロー制御を行う通常モードの他に、もう一つのモード（メンテナンスモード）を有している。通常モードとメンテナンスモードの切換は、前記操作キー群３の適宜のキー（例えば、「モード切替」キー）で行うようにすればよい。
このメンテナンスモードにおいては、図１０（ａ）の退避位置から（ｂ）あるいは（ｃ）の切断位置に至るまでに必要なパルス数（前記ステップＳ２０２またはステップＳ３０２において押さえ部材駆動モータ４５に送るパルス数）を増減できるようになっている。例えば「＋」キーが押された場合はパルス数を１増加させ、「−」キーが押された場合はパルス数を１減少させる、といったようにである。
この処理は、ＮＶ−ＲＡＭ１０３の前記記憶領域１０３Ｘ，１０３Ｙに記憶されているパルス数の値を読み出し、操作されたキー（「＋」／「−」）に応じて当該値を増／減した後、当該記憶領域１０３Ｘ，１０３Ｙに上書きする形で保存すればよい。
【００６８】
この構成で、例えばカット刃３５が長期間の使用に伴って損耗し、ハーフカットを行う場合でも、ラミネートテープ９１・両面接着テープ９３ａの部分（貼着ラベルとして用いられる部分）の切断が不十分になってしまったとする。
この場合はユーザは、前記「モード切替」キーを操作してテープ印字装置１をメンテナンスモードとし、「＋」キーを１回から数回押せば良い。すると、ＮＶ−ＲＡＭ１０３の前記記憶領域１０３Ｘ，１０３Ｙの記憶内容（即ち、前記退避位置から押さえ部材３６を移動させる際に押さえ部材駆動モータ４５に送るパルス数）を増加させることができる。
そして再び「モード切替」キーを操作してテープ印字装置１を通常モードとした上で、例えば「ハーフカット」キー３Ｈを押せば、前記ハーフカット処理サブルーチンのステップＳ３０２において、ＮＶ−ＲＡＭ１０３の新しい記憶内容に従った数だけのパルスが、押さえ部材駆動モータ４５に送られる。従って、先のメンテナンスモードにおいてパルス数を増加させた分だけ、カット刃３５の突出量（ラベルテープ１００に対するカット刃３５の突入量）を増加させることができる。これは、パルス数をユーザが適宜調整することによって、ハーフカットの際に、ラミネートテープ９１・両面接着テープ９３ａの厚みだけカット刃３５を完全に突入させて切断できるようになることを意味する。
【００６９】
本実施形態では以上に示したように、前記カット刃３５に対する前記押さえ部材３６の、ラベルテープ１００の厚み方向における位置の変更によって、ラベルテープ１００に対するカット刃３５の刃先の相対位置の変更（ラベルテープ１００に対するカット刃３５の突入量の変更）を行うようにしている。
そしてカット刃３５は、ラベルテープ１００を横切る方向（図８の矢印Ａの方向であって、図１０における紙面垂直方向）に移動するのみで、ラベルテープ１００の厚み方向（図８・図１０に示す矢印Ｂの方向）には固定としている。即ち、カット刃３５をラベルテープ１００の厚み方向に移動させるのではなく、押さえ部材３６を当該方向に移動させることでラベルテープ１００をその厚み方向に移動させ、これによって、ラベルテープ１００に対するカット刃３５の突入量の変更を行うようになっている。
【００７０】
従って、簡素な構成で使い勝手の良いテープ切断機構８を提供できる。
例えば、単一のカット刃３５でフルカットとハーフカットを切り換えることができ、低コストかつ多機能なテープ切断機構とすることができる。
また例えば、カット刃３５の損耗に応じてカット刃３５の突入量の変更を行わせることができるので、カット刃３５が損耗しても長期間の使用が可能になり、カット刃３５交換等のメンテナンス作業の頻度も低減することができる。
また、押さえ部材３６の移動によってカット刃３５のラベルテープ１００への突入量を変更する構成としているので、カット刃３５を矢印Ａの方向にも矢印Ｂの方向にも可動とする構成に比して、簡素な構成とできるほか、可動部分のガタつきも押さえることができ、カット刃３５のガタつき等の問題も回避することができる。
【００７１】
また、前記受け部材３７は、前記押さえ部材３６に近接する方向に、付勢バネ４８によって付勢されている。
【００７２】
この構成とすることで、押さえ部材３６と受け部材３７との間でラベルテープ１００を挟んで保持した状態で押さえ部材３６を受け部材３７から離れる方向に移動させると、受け部材３７は付勢バネ４８の付勢力によって、押さえ部材３６側に追従するよう移動する。また、押さえ部材３６を受け部材３７側に移動させると、押さえ部材３６の押動を受ける受け部材３７も、前記付勢バネ４８の付勢力に抗して移動する。
このように、押さえ部材３６と受け部材３７との間でラベルテープ１００を挟持した状態を保持しつつ、押さえ部材３６を移動させることができるので、容易に当該ラベルテープ１００の位置を前記カット刃３５に対して移動させることができる。また、受け部材３７側に特別の移動機構を設ける必要がないので、構成を簡素とでき、製造コストも安価にできる。
【００７３】
更には、前記受け部材には、その前記カット刃３５に対向する面に、前記カット刃３５のシート幅方向（矢印Ｃ方向）に沿設された溝３７ｃを設けている。
【００７４】
従って、前記カット刃３５は、ラベルテープ１００のフルカットを実現する場合でも、その刃先は図１０（ｂ）に示すように溝３７ｃ内に位置しながらその溝の沿設方向に走行することとなって、受け部材３７には接触しない。従って、受け部材３７の損傷を抑えることができ、カット刃３５の刃先の損耗も顕著に遅らせることができる。
【００７５】
また、本実施形態では、押さえ部材３６の位置の変更を、ステッピングモータたる押さえ部材駆動モータ４５の駆動によって行っている。
【００７６】
従って、パルス波の数を異ならせる簡易な数値制御によって、カット刃３５の刃先のラベルテープ１００に対する突入量を精度良く調整することができる。
【００７７】
また、前記ラベルテープ１００は、ラミネートテープ９１と両面接着テープ９３ａと剥離テープ９３ｂの三者が貼り合わされた三層構造に構成してあり、これは見方を変えれば、ラミネートテープ９１と両面接着テープ９３ａが一体となった二層構造の粘着テープ（粘着シートに相当）と、剥離テープ（剥離紙に相当）９３ｂと、が貼り合わされたものとみることが可能である。
そして、前記押さえ部材３６は、
前記ラベルテープ１００を、前記二層構造の粘着テープ（９１・９３ａ）および前記剥離テープ９３ｂを含めて、厚み方向全体にわたって前記カット刃３５で切断する、フルカットを行うための図１０（ｂ）に示す位置（第一の位置）と、前記二層構造の粘着テープ（９１・９３ａ）を切断し、且つ前記剥離テープ９３ｂを切断しないように前記カット刃３５で切断する、ハーフカットを行うための図１０（ｃ）に示す位置（第二の位置）と、
に、配置可能であるように構成している。
【００７８】
従って、カット刃３５の刃先の相対位置をラベルテープ１００に対し変更できるから、粘着テープ（９１・９３ａ）を切断し剥離テープ９３ｂを切断しないハーフカットを、正確に精度良く行うことができる。この結果、例えば、粘着テープ（９１・９３ａ）の厚み方向途中までしか刃先を突入できず、当該粘着テープの切断が不十分となってしまうカットミスを回避できる。
【００７９】
加えて、本実施形態のテープ切断機構８は、カット刃３５の損耗などの状況に応じて、前記ラベルテープ１００に対するカット刃３５の刃先の相対位置を変更できるように構成している。
【００８０】
従って、カット刃３５が損耗しても、ラベルテープ１００に対するカット刃３５の突入量を適宜調整することで、フルカット／ハーフカットを適切に行うことができる。従って、カット刃３５の交換などのメンテナンス作業の頻度が低減し、メンテナンスコストを低減できる。
【００８１】
また、本実施形態のテープ切断機構８は、前記ラベルテープ１００の種類を検出できるセンサ（カートリッジ種類検出センサ７０）を備えている。そして、検出されたラベルテープ１００の種類に応じて、当該ラベルテープ１００に対する前記カット刃３５の刃先の相対位置を変更できるように構成している。
【００８２】
この結果、切断されるラベルテープ１００の種類が種々異なっても適切に切断を行うことができ、汎用性に優れたテープ切断機構とすることができる。
【００８３】
【発明の効果】
本発明は、以上のように構成したので、以下に示すような効果を奏する。
【００８４】
即ち、請求項１に示す如く、シートをカットするカット刃を備えたカッティング装置において、前記カット刃の刃先に対向して配置される受け部材と、この受け部材に前記シートを挟んで配置される押さえ部材と、を備え、前記受け部材と前記押さえ部材との間で挟持されたシートを前記カット刃でカットするように構成するとともに、前記シートに対する前記カット刃の刃先の相対位置の変更が、前記カット刃に対する前記押さえ部材の、シート厚み方向における位置の変更によって行われるので、
カット刃のシートに対する突入量の変更を押さえ部材の位置の変更によって行うことができるので、カット刃はシート厚み方向について固定とでき、カット刃のガタつきを防止できる。また、その押さえ部材の位置の変更はシート厚み方向であるから、当該位置をキメ細かく調整することで、カット刃のシートに対する突入量の多段階の調整（あるいは微調整）も可能である。
【００８５】
請求項２に示す如く、前記受け部材は、前記押さえ部材に近接する方向に付勢されているので、
押さえ部材をシート厚み方向に移動させれば、受け部材も付勢力によって、押さえ部材に追従するようにしてシート厚み方向に移動する。従って、簡易な構成で、カット刃のシートに対する突入量を調整できる。
【００８６】
請求項３に示す如く、前記受け部材の前記カット刃に対向する面に、前記カット刃のシート幅方向に沿設された中空部を設けたので、
カット刃を最大限シートに突入させる（カット刃にシートを貫通させる）場合でも、カット刃の刃先は中空部に位置し、受け部材には接触しない。従って、受け部材の損傷を抑えることができ、また、カット刃の損耗を顕著に遅らせることができる。従って、カット刃や受け部材の寿命を延ばすことができる。
【００８７】
請求項４に示す如く、前記押さえ部材の位置の変更は、ステッピングモータの駆動により行われるので、
ステッピングモータに与えるパルス波の数を異ならせる簡易な数値制御によって、カット刃の刃先のシート状物に対する突入量を精度良く調整することができる。
【００８８】
請求項５に示す如く、前記シートは、粘着シートと剥離紙とが貼り合わされたものであり、また、前記押さえ部材は、前記シートを厚み方向全体にわたって切断するフルカットを行うための第一の位置と、前記粘着シートを切断し、且つ前記剥離紙を切断しないように前記カット刃でカットするハーフカットを行うための第二の位置とに、配置可能であるように構成しているので、
カット刃の刃先の相対位置をシートに対して変更できるから、前記第二の位置とすることで、粘着シートを切断し剥離紙を切断しないハーフカットを正確に精度良く行うことができる。従って、例えば、粘着シートの厚み方向途中までしか刃先を突入できずに当該粘着シートの切断が不十分となってしまうハーフカットミスを回避できる。
【００８９】
請求項６に示す如く、カット刃の状況に応じて、前記シートに対する前記カット刃の刃先の相対位置を変更できるように構成したので、
例えばカット刃が損耗しても、シートに対するカット刃の突入量を適宜調整することで、適切なカッティングを行うことができる。従って、カット刃の交換などのメンテナンス作業の頻度が低減し、メンテナンスコストを低減できる。
【００９０】
請求項７に示す如く、前記シートの種類を検出できるセンサを備え、検出されたシートの種類に応じて、当該シートに対する前記カット刃の刃先の相対位置を変更できるように構成したので、
切断されるシートの種類が種々異なっても適切にカッティングを行うことができ、汎用性に優れたカッティング装置とすることができる。
【図面の簡単な説明】
【図１】本発明の一実施形態に係るテープ印字装置の全体的な構成を示した斜視図。
【図２】蓋部を開いた状態のテープ印字装置の全体平面図。
【図３】同じく全体側面図。
【図４】カートリッジ装着部の構成を示す斜視図。
【図５】同じく平面図。
【図６】カートリッジ装着部にテープカートリッジを装着した状態を示す斜視図。
【図７】テープカートリッジ内部でテープが繰り出される様子を示す平面図。
【図８】テープ切断機構の全体構成を示す斜視図。
【図９】カートリッジ装着部を下面側から見た斜視図。
【図１０】テープ切断機構において押さえ部材でラベルテープをフルカット位置／ハーフカット位置に移動させる様子を示した断面図。
【図１１】テープ印字装置のブロック図。
【図１２】テープ印字装置の制御フローのメインフロー図。
【図１３】フルカット処理のサブルーチンのフロー図。
【図１４】ハーフカット処理のサブルーチンのフロー図。
【符号の説明】
１　テープ印字装置
８　テープ切断機構（カッティング装置）
３５　カット刃
３６　押さえ部材
３７　受け部材
３７ｃ　溝（中空部）
４５　押さえ部材駆動モータ（ステッピングモータ）
７０　カートリッジ種類検出センサ（シートの種類を検出するセンサ）
１００　ラベルテープ（シート）
【図１】
2004114167.tif 000003
【図２】
2004114167.tif 000004
【図３】
2004114167.tif 000005
【図４】
2004114167.tif 000006
【図５】
2004114167.tif 000007
【図６】
2004114167.tif 000008
【図７】
2004114167.tif 000009
【図８】
2004114167.tif 000010
【図９】
2004114167.tif 000011
【図１０】
2004114167.tif 000012
【図１１】
2004114167.tif 000013
【図１２】
2004114167.tif 000014
【図１３】
2004114167.tif 000015
【図１４】
2004114167.tif 000016